(57)【要約】  本発明は、ポケットランプであって、このポケットランプが、この電池ケーシングの一方の端部において、導電性の接触面８が形成されている、１つの円筒形の電池ケーシング３と、１つの端キャップ５と、並びに、複数の接点を有する１つの接点ばね６とを有し、この接点ばねが、上記電池ケーシング３内に収納された電池４の電極を、この電池ケーシング３の接触面８と結合する様式の上記ポケットランプに関する。接触位置を低減するため、および、比較的に確実な且つ比較的に安定的な電気的な接触を可能とするために、本発明に従い、これら接点が、接点ばね６の相対して位置している端部に設けられている。
2013530504.tif 000002
【特許請求の範囲】
【請求項１】
ポケットランプであって、このポケットランプが、
この電池ケーシングの一方の端部において、導電性の接触面（８）が形成されている、１つの円筒形の電池ケーシング（３）と、１つの端キャップ（５）と、並びに、複数の接点を有する１つの接点ばね（６）とを有し、
この接点ばねが、上記電池ケーシング（３）内に収納された電池（４）の電極を、この電池ケーシング（３）の接触面（８）と結合する様式の上記ポケットランプにおいて、
これら接点が、接点ばね（６）の相対して位置している端部に設けられていることを特徴とするポケットランプ。
【請求項２】
接点ばね（６）は、コイルばねまたは板ばねであることを特徴とする請求項１に記載のポケットランプ。
【請求項３】
端キャップ（５）は、雄ねじ（１１）を、および、電池ケーシング（３）が、この雄ねじに対応する雌ねじを備えており、
接点ばね（６）が、端部側で、少なくとも１つの半径方向の部分区間（９）を備えており、この半径方向の部分区間が、組み立てられた状態において、この電池ケーシング（３）の接触面（８）と結合されていることを特徴とする請求項１または２に記載のポケットランプ。
【請求項４】
端キャップ（５）の雄ねじ（１１）と、閉鎖部分（１２）との間に、切欠き部（１０）が設けられていることを特徴とする請求項１から３のいずれか一つに記載のポケットランプ。
【請求項５】
端キャップ（５）は、雌ねじを、および、電池ケーシング（３）が、この雌ねじに対応する雄ねじ（１１）を備えており、
接点ばね（６）が、端部側で、少なくとも部分領域内において、
この部分領域が、組み込まれた状態において、電池ケーシング（３）の接触面（８）と結合されている程度に大きな半径を有していることを特徴とする請求項１または２に記載のポケットランプ。
【請求項６】
接点ばね（６）は、コイルばねであり、このコイルばねが、有利には、円錐台形に形成されていることを特徴とする請求項１または５に記載のポケットランプ。
【請求項７】
円錐台形のコイルばねは、端部側で、この部分領域が組み込まれた状態において電池ケーシング（３）の接触面（８）と結合されている程度に、大きな半径を有する部分領域を備えていることを特徴とする請求項１、または５、または６に記載のポケットランプ。
【請求項８】
接点ばね（６）は、半径方向の部分区間（９）を有しており、この半径方向の部分区間が、１つまたは２つの部材から成るように、クリップ（５１）と結合されており、
その際、接触閉鎖が、端キャップ（５）の回転によって形成されることを特徴とする請求項１に記載のポケットランプ。
【請求項９】
半径方向の部分区間（９）と接触面（８）との間に、組み込まれた状態において、間隙（５２）があり、従って、接触が、このクリップ（５１）の旋回運動によって閉鎖されることを特徴とする請求項１または２に記載のポケットランプ。
【請求項１０】
クリップ（５１）は、長手軸線方向に、電池ケーシング３に沿って設けられていることを特徴とする請求項１、または８、または９に記載のポケットランプ。
【発明の詳細な説明】
【技術分野】
【０００１】
本発明は、請求項１の上位概念によるポケットランプに関し、このポケットランプが、
この電池ケーシングの一方の端部において、導電性の接触面が形成されている、１つの円筒形の電池ケーシングと、１つの端キャップと、並びに、複数の接点を有する１つの接点ばねとを有し、
この接点ばねが、上記電池ケーシング内に収納された電池の電極を、この電池ケーシングの接触面と結合する。
【背景技術】
【０００２】
この様式のポケットランプは、例えば、特許文献１内において記載されている。このポケットランプは、端キャップを備えており、この端キャップ内において、圧縮ばねが設けられており、この圧縮ばねが、唯一のばね線材から、部分的に異なる巻線直径から成っており、その際、少なくとも部分的に、多数の巻線が、半径方向に互いに並列して設けられている。換言すれば、１つの圧縮ばねが記載されており、この圧縮ばねが、２つの、同軸に支承された部分領域を有しており、これら部分領域が、それぞれに、コイルばねとして形成されている。
【０００３】
部分的に半径方向に互いに並列して位置する、接点ばねのこれら端部片は、複数の接点を形成し、その際、一方の接点が、電池の電極に、および、他方の接点が、電池ケーシングの接触面と結合されている。
【０００４】
既に、この特許文献１内において、多数の接触位置が、１つのポケットランプの、１つの電流回路内において、操作可能性に対して悪い影響を及ぼすことが述べられている。
【０００５】
何故ならば、複数の接触位置において、これら電気的な接触が、酸化、汚染、および摩耗によって、如何なる最適な電気的な接触も形成しないからであり、従って、接触位置の数を減少させることの解決策が探究されてきた。
【０００６】
特許文献２内において記載されたポケットランプは、圧縮ばねを有する端キャップを備えており、この圧縮ばねが、電気的な接触のために、単に２つの接触位置、即ち、電池の電極とばねとの間、および、ばねと電池ケーシングとの間の接触位置を有している。前記接触位置の数は、多部材より成る、且つ互いに離間するように構成可能な実施形態において、低減可能ではない。
【０００７】
確かに、この提案された実施形態は、必要な圧縮ばねが、比較的に複雑に製造されるべきであることの欠点を有しており、このことは、一方では、比較的に高い費用の原因となり、他方では、精密な作業をこの圧縮ばねの製造の際に必要とする。
【先行技術文献】
【特許文献】
【０００８】
【特許文献１】ドイツ連邦共和国実用新案第２０  ２００７  ００９  ２０２．４号明細書
【特許文献２】ドイツ連邦共和国実用新案第２０  ２００７  ００９  ２７２．４号明細書
【発明の概要】
【発明が解決しようとする課題】
【０００９】
従って、本発明の課題は、
端キャップを有する１つのポケットランプを提供することであり、このポケットランプが、可能な限り僅かの、接触位置の数において容易に製造され得、それによって、
一方では、製造費用が低減され、且つ他方では、比較的に安定的な、電気的な接触が提供される。
【課題を解決するための手段】
【００１０】
この課題は、請求項１に従うポケットランプによって解決され、それに従って、本発明により、複数の接点が、接点ばね（６）の相対して位置している端部に設けられている。
【００１１】
換言すれば、１つのポケットランプが提案されており、
このポケットランプが、このポケットランプの端キャップ内において、接点ばねを備えており、その際、
この接点ばねが、２つの相対して位置している端部において、接点を有しており、これら接点が、一方では、電池の電極と、および他方では、電池ケーシングの接触面と結合され得る。
【００１２】
有利にはこの場合、この接点ばねは、コイルばねとして、または、板ばねとして形成されており、その際、同様に他の接点ばねも考えられ得る。
【発明の効果】
【００１３】
原理的に、本発明の３つの異なる実施形態が存在し、これら実施形態は、以下で、並びに従属請求項内において説明される。
【００１４】
第１の有利な実施形態に従い、
端キャップは、雄ねじを、および、電池ケーシングが、この雄ねじに対応する雌ねじを備えており、接点ばねが、端部側で、少なくとも１つの半径方向の部分区間を備えており、この半径方向の部分区間が、組み立てられた状態において、この電池ケーシングの接触面と結合されている。
【００１５】
この目的のために、この部分区間は、切欠き部から、所定の寸法だけ外へ向かって突出するべきであり、従って、この外へ向かって突出された部分区間が、電池ケーシングの接触面に対して押圧され得る。
【００１６】
原理的に、この接触面は、円形状または部分円形状に、電池ケーシングの端側面において設けられていることは可能である。選択的に、この目的のために、この接触面は、同様に、円形状または部分円形状の台座として、この電池ケーシングの内側に形成され得る。
【００１７】
有利には、端キャップのねじと、閉鎖部分との間に、切欠き部が設けられている。この位置において、この切欠き部は、特に簡単に、穿孔によって、この端キャップ内へと形成され得る。
【００１８】
本発明の選択的な実施形態に従い、
端キャップは、雌ねじを、および、電池ケーシングが、この雌ねじに対応する雄ねじを備えており、接点ばねが、端部側で、少なくとも部分領域内において、この部分領域が、組み込まれた状態において、電池ケーシングの接触面と結合されている程度に大きな半径を有している。
【００１９】
有利には、この目的のために、この接点ばねはコイルばねであり、このコイルばねが、有利には、円錐台形に形成されている。この円錐台形のコイルばねは、有利には、端部側で、この部分領域が組み込まれた状態において電池ケーシングの接触面と結合されている程度に、大きな半径を有する部分領域を備えている。
【００２０】
換言すれば、この接点ばねの先細りの端部が電池と、および、拡大された端部が端キャップもしくは接触面と結合されており、従って、円形状の線接触部が形成される。
【００２１】
この実施形態は、特に良好に、スイッチとして構成され得る。何故ならば、接触閉鎖が、接点ばねと電池ケーシングとの間の線接触部に基づいて、端キャップの回転によって形成され得るからである。
更に、この端キャップは、接触が、まさに、従って未だに閉鎖されていない程度に、電池ケーシングにねじって締められ得、従って、接触が、ねじ山遊隙の利用のもとで閉鎖され得、それによって、この実施形態が、同様に、押しボタンスイッチとしても形成され得る。
【００２２】
本発明の更に別の有利な実施形態に従い、
接点ばねは、半径方向の部分区間を有しており、この半径方向の部分区間が、１つまたは２つの部材から成るように、クリップと結合されており、その際、接触が、端キャップの回転によって形成される。
【００２３】
更に、更に別の構成に従い、半径方向の部分区間と接触面との間に、組み込まれた状態において、間隙があり、従って、接触が、このクリップの旋回運動によって閉鎖される。
【００２４】
これら両方の構成において、スイッチとしての形成に関して、上記した利点が与えられる。何故ならば、同様に、ここでも、端キャップは、接触閉鎖がこの端キャップの回転運動を介してか、または、ねじ山遊隙の利用のもとでの押圧によって形成され得る程度に、回転され得るからである。
【００２５】
クリップは、長手軸線方向に、電池ケーシングに沿って設けられている。
上記ポケットランプは、この端キャップの回転によって、
このポケットランプが、このクリップの軽度の押圧もしくは旋回によって接触が閉鎖され、且つ、この接触が、反対方向への牽引によって再び遮断される、ように調節可能である。
【００２６】
これと共に、その上、このポケットランプを、
このポケットランプがクリップにおいて、例えば胸ポケットのようなポケット内において懸吊する場合に接触が遮断されており、および、このポケットランプがこのポケットから取り出されるやいなや、電流回路が閉鎖される、ように調節することは可能である。
【００２７】
本発明の具体的な構成、並びに、更に別の有利な実施形態を、以下で、図に基づいて説明する。
【図面の簡単な説明】
【００２８】
【図１ａ】ポケットランプの分解図である。
【図１ｂ】ポケットランプの分解図である。
【図２ａ】コイルばねを有する、端キャップの図である。
【図２ｂ】コイルばねを有する、端キャップの図である。
【図２ｃ】コイルばねを有する、端キャップの図である。
【図３】円錐台形の接点ばねを有するポケットランプの図である。
【図４ａ】拡大された部分領域を備えるばねを有する、端キャップの図である。
【図４ｂ】拡大された部分領域を備えるばねを有する、端キャップの図である。
【図５ａ】クリップを有するポケットランプの図である。
【図５ｂ】クリップを有するポケットランプの図である。
【図６ａ】板ばねと結合されているクリップを有するポケットランプの更に別の実施形態の図である。
【図６ｂ】板ばねと結合されているクリップを有するポケットランプの更に別の実施形態の図である。
【図６ｃ】板ばねと結合されているクリップを有するポケットランプの更に別の実施形態の図である。
【発明を実施するための形態】
【００２９】
図１ａおよび図１ｂ内において、
それぞれに１つの分解図において、１つのランプヘッド２、１つの電池ケーシング３、電池４、１つの端キャップ５、および、コイルばねとして形成された１つの接点ばね６を有する、１つのポケットランプ１が図示されている。
【００３０】
これら図示されたポケットランプの場合、電流回路は、通常、この電池ケーシング３を介して閉鎖され、そのために、この電流回路が、少なくとも部分的に導電性の材料から成っている。この目的のために、有利には、アルミニウムが使用され、このアルミニウムは、表面の硬化のために、アルマイト処理方法でもって処理され得る。
【００３１】
このような場合、処理された表面は、確かに、電気的な接触面のために、研磨されねばならず、そのために、有利には、この電池ケーシングの端側面７が使用され、従って、この端側面が、接触面８として使用され得る。
【００３２】
電池と電池ケーシングとの間の接触閉鎖（短絡）のために、接点ばね６が設けられており、この接点ばねが、端部側で、半径方向の部分区間９を備えており、この半径方向の部分区間が、切欠き部１０内へと、この半径方向の部分区間が、ある程度の寸法だけ、この切欠き部１０から外へ向かって突出するように挿入され得る。
【００３３】
図２ａ〜２ｃ内において、それぞれに、１つの切欠き部１０を有する端キャップ５、および接点ばね６の詳細図が図示されており、その際、図２ｃが、組み込まれた接点ばね６を有する端キャップ５を図示している。電気的な接触を閉鎖するために、この端キャップ５は、外へ向かって突出する半径方向の部分区間９と共に、この半径方向の部分区間９が、この接触面８と接触する程度まで、電池ケーシング内へとねじ込まれねばならない。
【００３４】
このような構成のために、特に、雄ねじ１１を有する端キャップ、並びに、この雄ねじに対応する雌ねじを有する電池ケーシング３が適している。
【００３５】
図３は、１つの選択的な実施形態を示しており、この実施形態の場合、１つの接点ばね６が使用され、この接点ばねが、端部側で、拡大された半径（Ｒａｄｉｕｓ）を備えている（矢印３０）。これによって、円形状の線接触部が形成され、この線接触部が、電池ケーシングの上のリング形状の接触面８と結合され得る。
【００３６】
この様式の実施形態のために、有利には、雌ねじを有する端キャップ５、および、雄ねじを有する電池ケーシング３が使用される。
【００３７】
図４ａおよび図４ｂは、１つの接点ばね６を有する端キャップ５を詳細図において示しており、その際、この接点ばね６が、端部側で、拡大された半径（Ｒａｄｉｕｓ）を備えている（矢印３０）。
【００３８】
本発明の更に具体的な実施形態に従い、半径方向の部分区間９は、クリップ５１と結合されており、その際、この半径方向の部分区間９と接触面８との間に、組み込まれた状態において、間隙５２があり、従って、接触が、このクリップ５１の旋回運動によって閉鎖される（図５ａ、５ｂ参照）。有利には、このクリップ５１は、長手軸線方向に、電池ケーシング３に沿って設けられている。
【００３９】
上記ポケットランプは、この端キャップ５の回転によって、
このポケットランプが、矢印方向５３内における、このクリップ５１の軽度の押圧もしくは旋回によって接触が閉鎖され（図５ｂを参照）、且つ、この接触が、反対方向への牽引によって再び遮断される、ように調節可能である。
【００４０】
図６ａ、６ｂおよび６ｃは、ポケットランプの更に別の実施形態を示しており、その際、これら図内において、接点ばね６が板ばね６１として形成されている。更に、同様にこの板ばね６１は、１つの部材から成るようにクリップ５１と結合されている。
【００４１】
組み立てられた状態（図６ｃ）において、端部側で、この板ばね６１は、電池４に対しての電気的な接点６２を有している。
【００４２】
更に別の電気的な接点６３は、半径方向の部分区間９において設けられており、この半径方向の部分区間が、１つの部材から成るようにクリップ５１へと移行する。この更に別の電気的な接点６３は、端キャップ５の回転、または、軽度の押圧によって、これに続いて閉鎖され得、その際、この端キャップが、この目的のために、相応して十分にねじって締められるべきである。
【符号の説明】
【００４３】
１    ポケットランプ
２    ランプヘッド
３    電池ケーシング
４    電池
５    端キャップ
６    接点ばね
７    端側面
８    接触面
９    半径方向の部分区間
１０  切欠き部
１１  雄ねじ
１２  閉鎖部分
３０  拡大された半径
５１  クリップ
５２  間隙
５３  矢印方向
６１  板ばね
６２  電気的な接点
６３  更に別の電気的な接点
【図１ａ】
2013530504.tif 000003
【図１ｂ】
2013530504.tif 000004
【図２ａ】
2013530504.tif 000005
【図２ｂ】
2013530504.tif 000006
【図２ｃ】
2013530504.tif 000007
【図３】
2013530504.tif 000008
【図４ａ】
2013530504.tif 000009
【図４ｂ】
2013530504.tif 000010
【図５ａ−５ｂ】
2013530504.tif 000011
【図６ａ】
2013530504.tif 000012
【図６ｂ】
2013530504.tif 000013
【図６ｃ】
2013530504.tif 000014
【国際調査報告】
2013530504.tif 000015
2013530504.tif 000016
2013530504.tif 000017
2013530504.tif 000018